(57)【要約】【課題】反射板４の落下防止構成と、風の影響を受けやすい高出力なコンパクト形蛍光ランプ９の効果的な放熱構成をえる。【解決手段】反射板４の上部４２をソケット樹脂部の上部まで伸ばして設けるとともに、伸ばした上部反射板４２により天井内と室内の空気の流れを抑制し光出力を低下させるランプ９管壁温度の低下を防止し効果的な放熱用開放穴を設けることを可能とした。【選択図】    図１
2004363072.tif 000002
【特許請求の範囲】
【請求項１】
下面を開放しコンパクト形蛍光ランプからの光を下方に照射させる反射板、点灯装置・ランプソケットを支持する本体、埋め込み穴を覆い天井面に当接する枠、本体と枠を固定する脚、本体を天井面に固定する取付金具を備えるコンパクト蛍光ランプ形ダウンライトにおいて、
反射板上部はコンパクト形蛍光ランプの樹脂部の上側まで伸ばされ該ランプの樹脂部より小径の口金挿通穴を備え、該ランプ装着した状態では反射板との間にわずかな隙間を持たせ、また反射板上部には放熱のための放熱穴を備えたことを特徴とするコンパクト形蛍光灯ダウンライト。
【発明の詳細な説明】
【０００１】
【発明の属する技術分野】
コンパクト形蛍光ランプを用いたダウンライトにおいて、反射板上部の口金挿通穴をランプ樹脂部の上部位置で、樹脂部より小径の挿通穴として蛍光ランプ装着状態では地震等の振動が加わっても反射板の落下防止構造とするとともに、特に風により光出力への影響を受け易いコンパクト形蛍光ランプの光出力を安定させるため、放熱用開口穴面積を必要最小限に留める反射板の取付け構成に関するものである。
【０００２】
【従来の技術】
従来の技術においては、反射板の上部は略円筒状に開放されランプ樹脂部寸法より大きな径の通気穴を有していた。また反射板は支持ばね等で本体に勘合支持されていた。このため蛍光ランプ装着状態にはランプ樹脂部に反射板が係止されず、万が一地震等の振動が加わると落下の可能性が有った。また、特に風により光出力への影響を受け易いコンパクト形蛍光ランプを用いたダウンライトにおいては、反射板の上部開放穴を介して発生する天井内と室内の空気の流れによりランプ管壁の熱が必要以上に奪われ光出力が低下する不具合があった。
【０００３】
【発明が解決しようとする課題】
本発明の目的は、上記従来技術の問題点を解決するため、反射板の上部をランプ口金樹脂部の上側とし口金挿通穴を樹脂部寸法より小径として、万が一反射板支持ばねが外れてもランプ装着状態（使用状態）では反射板の落下を防止できる構成としたダウンライトを提供することである。
また、高出力なコンパクト形蛍光ランプが風の影響を受けやすい特性を有していることから、反射板の上部開放穴を介して発生する天井内と室内の空気の流れを抑制し、ランプ管壁の熱が必要以上に奪われ光出力が低下しないよう反射板上部に最小限度の放熱穴が設けられる構成とし、安定した光出力による効率的なダウンライトを提供することを目的とする。
【０００４】
【課題を解決するための手段】
下面を開放し蛍光ランプ９からの光を有効的に下方に照射させる反射板４、点灯装置７・ランプソケット８を支持する本体１、埋め込み穴を覆い天井面に当接する枠３、本体１と枠３を固定する脚２、本体１を天井面に固定する取付金具５、及びコンパクト蛍光ランプ９からなるダウンライト器具において、
反射板４の上部４２は蛍光ランプ樹脂部９１の上側まで伸ばされランプ樹脂部９１より小径の口金挿通穴４３を備え、支持ばね６により係止される係止部４１を備え、ランプ９を装着した状態では反射板上部４２との間にわずかな隙間を持たせ製造上のバラツキに対応できるようにした。このことにより反射板支持ばねによる係止が振動等で万が一外れてもランプ樹脂部に反射板は係止され落下防止が図れる。
【０００５】
また、反射板上部４２を樹脂部の上部まで伸ばしたことで、コンパクト形蛍光ランプが風の影響を受けやすい特性を有していることから、反射板の上部開放穴を介して発生する天井内と室内の空気の流れを抑制し、ランプ管壁の熱が必要以上に奪われ光出力が低下しないよう反射板上部に最小限度の放熱穴が設けられる構成とし開口穴の位置や面積など設計の自由度が増しより最適化設計が可能となり、必要に応じ適正な開口面積の放熱穴４４を備えることが可能で、風による光出力への影響を抑制でき光出力を安定化させ効率的なダウンライトが提供できる。
【０００６】
【発明の実態の形態】
図１〜図３を用いて本発明の実施形態について説明する。下面を開放し蛍光ランプ９からの光を有効的に下方に照射させる反射板４、点灯装置７・ランプソケット８を支持する本体１、埋め込み穴を覆い天井面に当接する枠３、本体１と枠３を固定する脚２、本体１を天井面に固定する取付金具５、及びコンパクト蛍光ランプ９からなるダウンライト器具において、
反射板４の上部４２は蛍光ランプ樹脂部９１の上側まで伸ばされランプ樹脂部９１より小径の口金挿通穴４３を備え、支持ばね６により係止される係止部４１を備え、ランプ９を装着した状態では反射板上部４２との間にわずかな隙間を持たせ製造上のバラツキに対応できるようにした。このことにより反射板支持ばねによる係止が振動等で万が一外れてもランプ樹脂部に反射板は係止され落下防止が図れる。
【０００７】
また、反射板上部４２を樹脂部の上部まで伸ばしたことで、反射板の上部開放穴を介して発生する天井内と室内の空気の流れを抑制でき、ランプ管壁の熱が必要以上に奪われ光出力が低下しないよう反射板上部に最小限度の放熱穴が設けられる構成とした。開口穴の位置や面積など設計の自由度が増しより最適化設計が可能となり、必要に応じ適正な開口面積の放熱穴４４を備えることができ風により光出力に影響を受けやすい高出力のコンパクト形蛍光ランプの出力を安定化させ効率的なダウンライトが提供できる。
【０００８】
【発明の効果】
本発明は、反射板４の上部４２は蛍光ランプ樹脂部９１の上側まで伸ばされランプ樹脂部９１より小径の口金挿通穴４３を備え、支持ばね６により係止される係止部４１を備え、ランプ９を装着した状態では反射板上部４２との間にわずかな隙間を持たせ製造上のバラツキに対応できるようにした。このことにより反射板支持ばねによる係止が振動等で万が一外れてもランプ樹脂部に反射板は係止され落下防止が図れる。なお落下防止にあたり従来技術のような落下防止ワイヤーなどの特別な部品や処置を必要とすることなくランプの装着時の落下防止効果が得られ経済的で安全性の高いダウンライトを提供できる。
また、反射板上部４２を樹脂部の上部まで伸ばしたことで、反射板の上部開放穴を介して発生する天井内と室内の空気の流れを抑制でき、ランプ管壁の熱が必要以上に奪われ光出力が低下しないよう反射板上部に最小限度の放熱穴が設けられる構成とした。開口穴の位置や面積など設計の自由度が増しより最適化設計が可能となり、必要に応じ適正な開口面積の放熱穴４４を備えることができ風により光出力に影響を受けやすい高出力のコンパクト形蛍光ランプの出力を安定的に効率的にえられるためより経済性の高いダウンライトが提供できる。
【図面の簡単な説明】
【図１】は本発明によるダウンライトの全体構成を示す断面図
【図２】は本発明による反射板上部をランプソケット部で断面にした部分断面図
【図３】は本発明による反射板上部放熱穴のその他の一例を示す部分断面図
【図４】は従来技術による反射板上部構成と開口部の一例を示す部分断面図
【図５】は従来技術による反射板上部をランプソケット部で断面にした部分断面の一例
【符号の説明】
１−−−本体
２−−−脚
３−−−枠
４−−−反射板
４１−−−反射板係止部
４２−−−反射板上部
４３−−−反射板上部の口金挿通部
４４−−−反射板上部の放熱穴
５−−−取付金具
６−−−反射板支持ばね
７−−−点灯装置
８−−−ランプソケット
９−−−蛍光ランプ
９１−−−蛍光ランプ樹脂部
【図１】
2004363072.tif 000003
【図２】
2004363072.tif 000004
【図３】
2004363072.tif 000005
【図４】
2004363072.tif 000006
【図５】
2004363072.tif 000007